(57)【要約】【課題】第１位置または第２位置に駆動部材を有効に位置決めることが可能であると同時に、駆動部材とスリーブとの間の構造の強度が十分であり、高いトルクを受けることが可能な二段式ユニバーサル継手を提供すること。【解決手段】センターラインの方向が軸方向であり、嵌め部と、接続部とが設けられており、嵌め部は収容空間を有するスリーブと、多角形ボール状ヘッドが設けられており、多角形ボール状ヘッドに円弧面段が複数設けられており、これらの円弧面段はそれぞれ係合突起に押し付け、スリーブに対して第１位置と第２位置との間にスライド可能であり、多角形ボール状ヘッドに弾性付き押付部材が設けられている駆動部材と、収容空間の底部と多角形ボール状ヘッドとの間に設けられており、両者を弾性的に押し付け、これにより、駆動部材が第２位置へ付勢される弾性部材と、を備える。【選択図】図１
2020034151.tif 000002
【特許請求の範囲】
【請求項１】
センターラインの方向が軸方向であり、嵌め部と接続部とが設けられており、前記嵌め部は収容空間を有し、前記収容空間の裏壁には、前記軸方向に沿って伸びる係合突起が複数設けられており、前記係合突起のうちの一つに凹部が設けられている、スリーブと、
多角形ボール状ヘッドが設けられており、前記多角形ボール状ヘッドに円弧面段が複数設けられており、前記多角形ボール状ヘッドは前記収容空間に差し込まれ、これらの前記円弧面段はそれぞれ前記係合突起に押し付けられて、前記スリーブに対して第１位置と第２位置との間にスライド可能であり、前記多角形ボール状ヘッドに弾性付き押付部材が設けられており、前記弾性付き押付部材は常時に径方向に沿って外側へと押し付ける、駆動部材と、
前記収容空間の底部と前記多角形ボール状ヘッドとの間に設けられており、両者を弾性的に押し付け、これにより、前記駆動部材が前記第２位置へ付勢される、弾性部材と、を備える二段式ユニバーサル継手において、
前記駆動部材が前記第１位置に位置するときに、前記弾性付き押付部材は前記凹部に弾性的に押し付け、前記駆動部材は、前記多角形ボール状ヘッドを中心として前記スリーブに対して揺動することができず、
外力により前記駆動部材が前記第２位置へ移動するときに、前記弾性付き押付部材は前記凹部から離脱して、前記駆動部材は前記弾性部材に弾性的に押し付けられて前記第２位置に移動して、前記駆動部材は前記多角形ボール状ヘッドを中心として前記スリーブに対して揺動することが可能となる、
ことを特徴とする、二段式ユニバーサル継手。
【請求項２】
前記凹部は、前記軸方向に沿う二つの側壁に沿って、前記スリーブの径方向に伸びることを特徴とする、請求項１に記載の二段式ユニバーサル継手。
【請求項３】
前記収容空間には、更に、前記軸方向に沿って伸びる係合窪みが複数設けられており、これらの前記係合突起とこれらの前記係合窪みは、前記収容空間の円周方向に沿って交錯に設けられ、前記多角形ボール状ヘッドの何れかの隣接する二つの前記円弧面段の間に角部が形成され、前記各角部は前記係合窪みに押し付けることを特徴とする、請求項１に記載の二段式ユニバーサル継手。
【請求項４】
前記凹部は、前記スリーブの円周方向に沿う両側に斜面がそれぞれ設けられており、前記各斜面はそれぞれ前記係合窪みに伸びることを特徴とする、請求項３に記載の二段式ユニバーサル継手。
【請求項５】
前記各係合突起は円弧凸面であり、前記各係合突起は、前記スリーブの円周方向に沿う両側が徐々に薄くなることを特徴とする、請求項１に記載の二段式ユニバーサル継手。
【請求項６】
前記弾性付き押付部材は、係合部材と、バネと、を備え、前記多角形ボール状ヘッドに収容穴が設けられており、前記係合部材は前記収容穴にスライド可能に設けられており、前記バネは、前記収容穴の底部と前記係合部材との間に設けられており、両者を弾性的に押し付けて、前記係合部材が前記収容穴に規制されて常時に外へ押し付けることを特徴とする、請求項１に記載の二段式ユニバーサル継手。
【請求項７】
前記駆動部材には、更に、工作部と、径方向凸縁とが一体に設けられており、前記径方向凸縁は、前記工作部と前記多角形ボール状ヘッドとの間に設けられており、前記駆動部材が前記第１位置に位置するときに、前記径方向凸縁は前記収容空間の裏壁に押し付け、前記駆動部材が前記第２位置に位置するときに、前記径方向凸縁は前記収容空間の裏壁に押し付けないことを特徴とする、請求項１に記載の二段式ユニバーサル継手。
【請求項８】
前記収容空間の裏壁の前記接続部から遠く離れた一端には、更に、環状溝が設けられており、前記環状溝には、止め部材が脱着可能に設けられており、前記駆動部材が前記第２位置に移動したと、前記止め部材が前記多角形ボール状ヘッドに押し付けて係止されて、前記多角形ボール状ヘッドが前記収容空間から離脱不能となることを特徴とする、請求項１に記載の二段式ユニバーサル継手。
【請求項９】
前記止め部材は、前記環状溝から脱着することが可能なＣリングであることを特徴とする、請求項８に記載の二段式ユニバーサル継手。
【請求項１０】
前記凹部の軸方向に沿う長さと前記収容空間の深さの比は、１：７〜１.５：７であることを特徴とする、請求項１から９の何れかの１項に記載の二段式ユニバーサル継手。
【発明の詳細な説明】
【技術分野】
【０００１】
本発明は、二段式ユニバーサル継手に関するものである。
【背景技術】
【０００２】
ユニバーサル継手は、多角度に回転することが可能な手工具に利用されることが可能であり、ボール状ヘッド台と、駆動ロッドと、を備える。
前記駆動ロッドの一端にボール状ヘッドが設けられている。前記ボール状ヘッドは、前記ボール状ヘッド台に対して回動することができないように、前記ボール状ヘッド台にスライド可能に設けられている。
前記駆動ロッドは、固定位置と揺動位置との間にスライドすることが可能であるように、前記ボール状ヘッド台に設けられている。
前記駆動ロッドが前記固定位置に位置するときには、前記駆動ロッドの径方向凸部が前記ボール状ヘッド台に押し付けて係止されて互いに揺動することができない。
前記ボール状ヘッド台から前記駆動ロッドを外側へ引いて揺動位置に着いたと、前記駆動ロッドの径方向凸部は、前記ボール状ヘッド台に押し付けて係止されず、前記ボール状ヘッド台に対して揺動することが可能である。
これにより、前記ユニバーサル継手は、多角度に回転することが可能となり、狭い作業環境においても操作することが可能である。
【０００３】
しかしながら、従来のユニバーサル継手は、調整しようとする固定位置または揺動位置に駆動ロッドを有効に位置決めることができず、駆動ロッドが前記固定位置と前記揺動位置との間にスライドしやすい。
このため、作業者は、作業の途中で作業を停止して、移動しようとする位置に駆動ロッドを調整しないと、作業を再開することができない。これにより、利用は極めて不便であった。
【発明の概要】
【発明が解決しようとする課題】
【０００４】
本発明の主な目的は、スリーブと、駆動部材と、を備え、第１位置または第２位置に駆動部材を有効に位置決めることが可能であると同時に、駆動部材とスリーブとの間の構造の強度が十分であり、高いトルクを受けることが可能な二段式ユニバーサル継手を提供することにある。
【課題を解決するための手段】
【０００５】
本発明に係る二段式ユニバーサル継手によると、そのセンターラインの方向が軸方向であり、嵌め部と、接続部とが設けられており、嵌め部は収容空間を有し、  収容空間の裏壁には、軸方向に沿って伸びる係合突起が複数設けられており、係合突起のうちの一つに凹部が設けられているスリーブと、
多角形ボール状ヘッドが設けられており、多角形ボール状ヘッドに円弧面段が複数設けられており、多角形ボール状ヘッドは収容空間に差し込まれており、これらの円弧面段は、それぞれ係合突起に押し付け、駆動部材は、スリーブに対して第１位置と第２位置との間にスライド可能であり、多角形ボール状ヘッドに弾性付き押付部材が設けられており、弾性付き押付部材は常時に径方向に沿って外側へ押し付ける駆動部材と、
収容空間の底部と多角形ボール状ヘッドとの間に設けられており、両者を弾性的に押し付け、これにより、駆動部材が第２位置へ付勢される弾性部材と、
を備える二段式ユニバーサル継手において、
駆動部材が第１位置に位置するときに、弾性付き押付部材は凹部に弾性的に押し付け、駆動部材は、多角形ボール状ヘッドを中心としてスリーブに対して揺動することができず、外力により駆動部材が第２位置へ移動するときに、弾性付き押付部材は凹部から離脱して、駆動部材は弾性部材に弾性的に押し付けられて第２位置に移動して、駆動部材は多角形ボール状ヘッドを中心としてスリーブに対して揺動することが可能となることを特徴とする。
【０００６】
本発明に係る二段式ユニバーサル継手によると、凹部は、軸方向に沿う二つの側壁に沿って、スリーブの径方向に伸びることを特徴とする。
【０００７】
本発明に係る二段式ユニバーサル継手によると、収容空間には、更に、軸方向に沿って伸びる係合窪みが複数設けられており、これらの係合突起とこれらの係合窪みは、収容空間の円周方向に沿って交錯に設けられ、多角形ボール状ヘッドの何れかの隣接する二つの円弧面段の間に角部が形成され、各角部は係合窪みに押し付けることを特徴とする。
【０００８】
本発明に係る二段式ユニバーサル継手によると、凹部は、スリーブの円周方向に沿う両側に斜面がそれぞれ設けられており、各斜面はそれぞれ係合窪みに伸びることを特徴とする。
【０００９】
本発明に係る二段式ユニバーサル継手によると、各係合突起は円弧凸面であり、各係合突起は、スリーブの円周方向に沿う両側が徐々に薄くなることを特徴とする。
【００１０】
本発明に係る二段式ユニバーサル継手によると、弾性付き押付部材は、係合部材と、バネと、を備え、多角形ボール状ヘッドに収容穴が設けられており、係合部材は収容穴にスライド可能に設けられており、バネは、収容穴の底部と係合部材との間に設けられており、両者を弾性的に押し付けて、係合部材が収容穴に規制されて常時に外へ押し付けることを特徴とする。
【００１１】
本発明に係る二段式ユニバーサル継手によると、駆動部材には、更に、工作部と、径方向凸縁とが一体に設けられており、径方向凸縁は、工作部と多角形ボール状ヘッドとの間に設けられており、駆動部材が第１位置に位置するときに、径方向凸縁は収容空間の裏壁に押し付け、駆動部材が第２位置に位置するときに、径方向凸縁は収容空間の裏壁に押し付けないことを特徴とする。
【００１２】
本発明に係る二段式ユニバーサル継手によると、収容空間の裏壁の接続部から遠く離れた一端には、更に、環状溝が設けられており、環状溝には、止め部材が脱着可能に設けられており、駆動部材が第２位置に移動したと、止め部材が多角形ボール状ヘッドに押し付けて係止されて、多角形ボール状ヘッドが収容空間から離脱不能となることを特徴とする。
【００１３】
本発明に係る二段式ユニバーサル継手によると、止め部材は、環状溝から脱着することが可能なＣリングであることを特徴とする。
【００１４】
本発明に係る二段式ユニバーサル継手によると、凹部の軸方向に沿う長さと収容空間の深さの比は、１：７〜１.５：７であることを特徴とする。
【発明の効果】
【００１５】
本発明に係る二段式ユニバーサル継手によれば、第１位置または第２位置に駆動部材を有効に位置決めることが可能であると同時に、駆動部材とスリーブとの間の構造の強度が十分であり、高いトルクを受けることが可能であるという効果を有する。
【図面の簡単な説明】
【００１６】
【図１】本発明の一実施形態に係る二段式ユニバーサル継手を示す斜視図。
【図２】本発明の一実施形態に係る二段式ユニバーサル継手を示す斜視図。
【図３】本発明の一実施形態に係る二段式ユニバーサル継手を示す分解斜視図。
【図４】本発明の一実施形態に係る二段式ユニバーサル継手の使用状態を示す断面図。
【図５】本発明の一実施形態に係る二段式ユニバーサル継手の使用状態を示す断面図。
【図６】本発明の一実施形態に係る二段式ユニバーサル継手の使用状態を示す断面図。
【発明を実施するための形態】
【００１７】
以下、本発明の実施の形態を図面に基づいて説明する。
【００１８】
図１から図６を参照する。本発明の一実施形態に係る二段式ユニバーサル継手は、スリーブ１と、駆動部材２と、弾性部材３と、を備える。
【００１９】
スリーブ１は、センターラインの方向が軸方向１１であり、嵌め部１２と、接続部１３とが設けられている。嵌め部１２は収容空間１４を有する。収容空間１４の裏壁には、軸方向１１に沿って伸びる係合突起１５が複数設けられている。係合突起１５のうちの一つに凹部１６が設けられている。接続部１３は、回転工具と接続することが可能である。
【００２０】
駆動部材２に多角形ボール状ヘッド２１が設けられている。多角形ボール状ヘッド２１に円弧面段２１１が複数設けられている。多角形ボール状ヘッド２１は収容空間１４に差し込まれている。これらの円弧面段２１１は、それぞれ係合突起１５に押し付ける。駆動部材２は、スリーブ１に対して第１位置と第２位置との間にスライドすることが可能である。多角形ボール状ヘッド２１に弾性付き押付部材２２が設けられている。弾性付き押付部材２２は、常時に径方向に沿って外側に押し付ける。本実施形態では、多角形ボール状ヘッド２１と収容空間１４とが六角形を呈するが、もちろん、六角形以外の多角形を呈してもよい。
【００２１】
弾性部材３は、収容空間１４の底部と多角形ボール状ヘッド２１との間に設けられており、両者を弾性的に押し付ける。これにより、駆動部材２は第２位置へ付勢される。
【００２２】
駆動部材２が前記第１位置に位置するときには、弾性付き押付部材２２が凹部１６に弾性的に押し付けて、駆動部材２が多角形ボール状ヘッド２１を中心としてスリーブ１に対して揺動することができず、駆動部材２とスリーブ１が同じ直線に位置し、弾性付き押付部材２２が凹部１６に弾性的に押し付けて、駆動部材２が前記第２位置に任意に移動することができない。
外力により駆動部材２が前記第２位置に移動すると、弾性付き押付部材２２が凹部１６から離脱して、駆動部材２が弾性部材３に弾性的に押し付けられて前記第２位置に移動する。このとき、駆動部材２は、多角形ボール状ヘッド２１を中心としてスリーブ１に対して揺動することが可能であり、スリーブ１と駆動部材２とは多角度に回転することが可能となる。前記第１位置に駆動部材２を再び移動しようとする場合には、外力を加えることにより、弾性部材３による弾性的な押付力を克服すると、駆動部材２が前記第１位置に戻す。
このため、前記第１位置または前記第２位置に駆動部材２を有効で迅速に位置決めることが可能であり、スリーブ１に対して任意にスライドすることができず、利用の利便性を向上することが可能である。
本実施形態に係る弾性部材３は、接続部１３から収容空間１４へ徐々に縮径し、多角形ボール状ヘッド２１の接続部１３に向く端面に押し付ける。
【００２３】
収容空間１４には、更に、軸方向１１に沿って伸びる係合窪み１７が複数設けられている。これらの係合突起１５とこれらの係合窪み１７は、収容空間１４の円周方向に沿って交錯に設けられる。多角形ボール状ヘッド２１の何れかの隣接する二つの円弧面段２１１の間に角部２１２が形成される。各角部２１２は係合窪み１７に押し付ける。
これにより、多角形ボール状ヘッド２１が嵌め部１２に対して軸方向１１に沿って回転することを防止することが可能である。
本実施形態では、各係合突起１５が円弧凸面である。各係合突起１５は、スリーブ１の円周方向に沿う両側が徐々に薄くなる。これにより、多角形ボール状ヘッド２１が前記第２位置に位置するときに、駆動部材２は、多角形ボール状ヘッド２１を中心として、スリーブ１に対して揺動することが容易となる。
【００２４】
凹部１６は、軸方向１１に沿う二つの側壁１６１がスリーブ１の径方向に沿って伸びる。これにより、弾性付き押付部材２２は凹部１６から任意に離脱することを回避することが可能である。凹部１６は、スリーブ１の円周方向に沿う両側に、徐々に縮小する斜面１６２が設けられている。各斜面１６２は、それぞれ係合窪み１７に伸びる。一方、凹部１６の軸方向１１の長さと収容空間１４の深さの比は、１：７〜１.５：７である。本実施形態では、凹部１６の軸方向１１の長さと収容空間１４の深さの比は１.３：７である。これにより、凹部１６と弾性付き押付部材２２との係止はもっと強くなる。
【００２５】
弾性付き押付部材２２は、係合部材２２１と、バネ２２２と、を備える。多角形ボール状ヘッド２１に収容穴２１３が設けられている。係合部材２２１は収容穴２１３にスライド可能に設けられている。バネ２２２は、収容穴２１３の底部と係合部材２２１との間に設けられており、両者を弾性的に押し付ける。これにより、係合部材２２１は、収容穴２１３に規制されて、常時に外側へ押し付ける。本実施形態では、係合部材２２１が玉であり、凹部１６から係合部材２２１を離脱不能となることを回避することが可能である。
【００２６】
駆動部材２には、更に、工作部２３と、径方向凸縁２４とが一体に設けられている。径方向凸縁２４は、工作部２３と多角形ボール状ヘッド２１との間に設けられている。工作部２３は、ロック部材またはソケットと接続することが可能である。駆動部材２が前記第１位置に位置するときに、径方向凸縁２４は収容空間１４の裏壁に押し付け、駆動部材２が前記第２位置に位置するときに、径方向凸縁２４は収容空間１４の裏壁に押し付けない。
【００２７】
収容空間１４の裏壁の接続部１３から遠く離れた一端には、更に、環状溝１８が設けられている。環状溝１８には、止め部材１９が脱着可能に設けられている。駆動部材２が前記第２位置に移動したと、止め部材１９は多角形ボール状ヘッド２１に押し付けて係止されて、多角形ボール状ヘッド２１は収容空間１４から離脱することができなくなる。本実施形態に係る止め部材１９は、環状溝１８に脱着可能なＣリングである。
【００２８】
本発明に係る二段式ユニバーサル継手によれば、弾性部材、凹部および弾性付き押付部材から形成される構造により、前記第１位置または前記第２位置に駆動部材を有効に位置決めることが可能であり、スリーブに対して任意にスライドすることができず、利用は便利となる。
【００２９】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００３０】
１  スリーブ
２  駆動部材
３  弾性部材
１１  軸方向
１２  嵌め部
１３  接続部
１４  収容空間
１５  係合突起
１６  凹部
１７  係合窪み
１８  環状溝
１９  止め部材
２１  多角形ボール状ヘッド
２２  弾性付き押付部材
２３  工作部
２４  径方向凸縁
１６１  側壁
１６２  斜面
２１１  円弧面段
２１２  角部
２１３  収容穴
２２１  係合部材
２２２  バネ
【図１】
2020034151.tif 000003
【図２】
2020034151.tif 000004
【図３】
2020034151.tif 000005
【図４】
2020034151.tif 000006
【図５】
2020034151.tif 000007
【図６】
2020034151.tif 000008